(57)【要約】【課題】アナグリフ方式の立体視画像を良好に視認することができる表示装置、表示方法およびプログラムを提供する。【解決手段】被写体に対して互いに視差を有する２つの画像データを用いてアナグリフ方式の立体視画像を表示可能な表示部６０を備えた撮像装置１であって、アナグリフ方式の眼鏡に設けられた互いに異なる波長帯域の光を透過させる２つのフィルタの光学特性に基づいて、表示部６０が表示する立体視画像の表示態様を制御する表示制御部７２を備える。【選択図】図１
2014160989.tif 000002
【特許請求の範囲】
【請求項１】
同じ被写体に対して視差を有する２つの画像データを用いてアナグリフ方式の立体視画像を表示可能な表示部を備えた表示装置であって、
アナグリフ方式の眼鏡に設けられた互いに異なる波長帯域の光を透過させる２つのフィルタの光学特性に基づいて、前記表示部が表示する前記立体視画像の表示態様を制御する表示制御部を備えたことを特徴とする表示装置。
【請求項２】
前記表示制御部は、少なくとも前記立体視画像の一部の色または形状を変更することを特徴とする請求項１に記載の表示装置。
【請求項３】
前記２つの画像データを取得する画像取得部と、
前記画像取得部が取得した前記２つの画像データを用いて、前記アナグリフ方式の立体視画像データを生成する立体視画像生成部と、
当該表示装置に関する操作情報を生成する操作情報生成部と、
をさらに備え、
前記表示制御部は、前記立体視画像生成部が生成した前記立体視画像データに対応する立体視画像を前記表示部に表示させるとともに、前記２つのフィルタで識別可能な色で前記操作情報を前記立体視画像上に重畳して前記表示部に表示させることを特徴とする請求項１または２に記載の表示装置。
【請求項４】
前記立体視画像上に前記操作情報を重畳する表示領域の色を検出する色検出部を備え、
前記表示制御部は、前記色検出部が検出した前記表示領域の色と分離可能な色で前記操作情報を前記表示部に表示させることを特徴とする請求項３に記載の表示装置。
【請求項５】
前記色検出部は、前記表示領域を色毎に複数の色領域に分割し、該複数の色領域のうち面積比と該色領域の視認指数に基づく値が所定値より大きい色領域の色を前記表示領域の色として検出することを特徴とする請求項４に記載の表示装置。
【請求項６】
前記表示部が表示する複数の操作情報のいずれかを選択する指示信号の入力を受け付け可能な操作入力部をさらに備え、
前記表示制御部は、前記操作入力部から入力された前記指示信号に応じて選択された操作情報の形状を、他の操作情報と識別可能な形状に変更して前記表示部に表示させることを特徴とする請求項２〜５のいずれか一つに記載の表示装置。
【請求項７】
前記形状は、多角形、円形、楕円形、半円を直線でつないだ形状、雲形、星形、角を丸くした多角形のいずれかであることを特徴とする請求項６に記載の表示装置。
【請求項８】
前記操作情報は、当該表示装置に関する注意を示す注意情報、当該表示装置に関する警告を示す警告情報および当該表示装置が実行可能なメニューを示すメニュー情報の少なくともいずれか一つであることを特徴とする請求項３〜７のいずれか一つに記載の表示装置。
【請求項９】
前記２つの画像データを取得する画像取得部と、
前記画像取得部が取得した前記２つの画像データそれぞれに対応する２つの画像に含まれる主被写体を検出する主被写体検出部と、
前記２つの画像にそれぞれ含まれる背景に対して、前記主被写体検出部が検出した前記主被写体を識別可能に前記２つの画像データの色空間の変数を変更する色空間変更処理を行う色空間変更部と、
前記色空間変更部が前記色空間変更処理を行った前記２つの画像データを用いて、前記アナグリフ方式の立体視画像データを生成する立体視画像生成部と、
をさらに備え、
前記表示制御部は、前記立体視画像生成部が生成した前記立体視画像データに対応する立体視画像を前記表示部に表示させることを特徴とする請求項１に記載の表示装置。
【請求項１０】
前記色空間の変数は、輝度であることを特徴とする請求項９に記載の表示装置。
【請求項１１】
前記色空間の変数は、彩度、色相およびホワイトバランスのいずれかであることを特徴とする請求項９に記載の表示装置。
【請求項１２】
前記色空間変更部に前記色空間変更処理の実行を指示する指示信号の入力を受け付ける操作入力部をさらに備え、
前記色空間変更部は、前記操作入力部から前記指示信号が入力された場合、前記色空間変更処理を実行することを特徴とする請求項９〜１１のいずれか一つに記載の表示装置。
【請求項１３】
前記被写体を撮像し、該被写体からの光線を結像した被写体画像を受光して光電変換を行うことによって画像データを生成する撮像部をさらに備え、
前記画像取得部は、前記撮像部が異なる位置でそれぞれ生成した２つの画像データであって、互いの視野の左右方向の一端部同士が重なりを有する２つの画像データを前記２つの画像データとして前記撮像部から取得することを特徴とする請求項３〜１２のいずれか一つに記載の表示装置。
【請求項１４】
互いの光軸が平行または所定の角度をなすように並設され、該被写体からの光線を結像した被写体画像を受光して光電変換することによって前記２つの画像データを生成する撮像部をさらに備え、
前記画像取得部は、前記撮像部が前記被写体を同時に撮像して生成した前記２つの画像データを前記撮像部から取得することを特徴とする請求項３〜１２のいずれか一つに記載の表示装置。
【請求項１５】
前記撮像部は、当該表示装置に着脱自在であることを特徴とする請求項１３または１４に記載の表示装置。
【請求項１６】
前記２つの画像データを記録する記録部をさらに備え、
前記画像取得部は、前記記録部から前記２つの画像データを取得することを特徴とする請求項３〜１２のいずれか一つに記載の表示装置。
【請求項１７】
前記２つの画像データを当該表示装置の外部から得る外部入力部をさらに備え、
前記画像取得部は、前記外部入力部から前記２つの画像データを取得することを特徴とする請求項３〜１２のいずれか一つに記載の表示装置。
【請求項１８】
前記表示部の表示態様を変更する表示態様変更モードまたは前記２つの画像データそれぞれに対応する２つの画像のうち一方のみを前記表示部に表示させる２次元画像表示モードを指示するモード指示信号の入力を受け付けるモード切替スイッチ部をさらに備え、
前記表示制御部は、前記モード切替スイッチ部から入力される前記モード指示信号に応じて、前記表示態様を変更することを特徴とする請求項１〜１７のいずれか一つに記載の表示装置。
【請求項１９】
同じ被写体に対して視差を有する２つの画像データを用いてアナグリフ方式の立体視画像を表示可能な表示部を備えた表示装置が実行する表示方法であって、
アナグリフ方式の眼鏡に設けられた互いに異なる波長帯域の光を透過させる２つのフィルタの光学特性に基づいて、前記表示部が表示する前記立体視画像の表示態様を制御する表示制御ステップを含むことを特徴とする表示方法。
【請求項２０】
同じ被写体に対して視差を有する２つの画像データを用いてアナグリフ方式の立体視画像を表示可能な表示部を備えた表示装置に実行させるプログラムであって、
アナグリフ方式の眼鏡に設けられた互いに異なる波長帯域の光を透過させる２つのフィルタの光学特性に基づいて、前記表示部が表示する前記立体視画像の表示態様を制御する表示制御ステップを実行させることを特徴とするプログラム。
【発明の詳細な説明】
【技術分野】
【０００１】
本発明は、アナグリフ方式の３次元画像を表示する表示装置、表示方法およびプログラムに関する。
【背景技術】
【０００２】
従来、同一の被写体に対して視差を有する２つの画像データを取得し、この取得した２つの画像データを用いて立体視画像データ（以下、「３Ｄ画像データ」という）を生成する画像処理装置が知られている（特許文献１参照）。この技術では、２つの画像データにそれぞれ対応する２つの画像のうち少なくとも一方を視差方向に応じて回転または移動させることによって、過大な視差を有する不自然な３Ｄ画像データを適正な視差を有する３Ｄ画像データに補正する。
【０００３】
ところで、近年、立体視画像（以下、「３Ｄ画像」という）を表示可能な３Ｄテレビジョンや３Ｄモニター等の普及に伴い、立体視撮影機能を搭載した撮像装置が増えてきている。このような立体視撮影機能を搭載する撮像装置に適用可能な再生表示方式としては、フレーム・シーケンシャル方式やアナグリフ方式、視差障壁方式等が考えられる。このうち、フレーム・シーケンシャル方式は、視差が異なる左右の画像を時系列に沿って交互に表示させなければならず、またそれを３Ｄ画像として表示するためには専用の電子制御眼鏡が必要となり、標準型の撮像装置に適用することが難しかった。これに対して、アナグリフ方式は、同一の被写体に対して視差を有する２つの画像データをそれぞれ特殊な画像処理を行った上で重ねて再生し、左右にたとえば赤と青のカラーフィルタを有する眼鏡（以下、「アナグリフ眼鏡」という）によって３Ｄ画像データに対応する３Ｄ画像をユーザに視認させるものであり、標準型の撮像装置に低コスト、かつ簡易な構成で容易に適用することができる。
【先行技術文献】
【特許文献】
【０００４】
【特許文献１】特開２０１０−２３２９１１号公報
【発明の概要】
【発明が解決しようとする課題】
【０００５】
ところで、上述したアナグリフ方式は、ユーザに最適な３Ｄ画像を視認させるため、両目でそれぞれの画像を視認させることが求められる。しかしながら、アナグリフ眼鏡は、フィルタの光学特性によって画像の色を黒や他の色に変換して透過させる。このため、画像によっては、ユーザが一方の画像を視認できないので立体感を得られず、不自然な３Ｄ画像を視認してしまうという問題点があった。
【０００６】
本発明は、上記に鑑みてなされたものであって、ユーザに自然な３Ｄ画像を視認させることができる表示装置、表示方法およびプログラムを提供することを目的とする。
【課題を解決するための手段】
【０００７】
上述した課題を解決し、目的を達成するために、本発明にかかる表示装置は、同じ被写体に対して視差を有する２つの画像データを用いてアナグリフ方式の立体視画像を表示可能な表示部を備えた表示装置であって、アナグリフ方式の眼鏡に設けられた互いに異なる波長帯域の光を透過させる２つのフィルタの光学特性に基づいて、前記表示部が表示する前記立体視画像の表示態様を制御する表示制御部を備えたことを特徴とする。
【０００８】
また、本発明にかかる表示装置は、上記発明において、前記表示制御部は、少なくとも前記立体視画像の一部の色または形状を変更することを特徴とする。
【０００９】
また、本発明にかかる表示装置は、上記発明において、前記２つの画像データを取得する画像取得部と、前記画像取得部が取得した前記２つの画像データを用いて、前記アナグリフ方式の立体視画像データを生成する立体視画像生成部と、当該表示装置に関する操作情報を生成する操作情報生成部と、をさらに備え、前記表示制御部は、前記立体視画像生成部が生成した前記立体視画像データに対応する立体視画像を前記表示部に表示させるとともに、前記２つのフィルタで識別可能な色で前記操作情報を前記立体視画像上に重畳して前記表示部に表示させることを特徴とする。
【００１０】
また、本発明にかかる表示装置は、上記発明において、前記立体視画像上に前記操作情報を重畳する表示領域の色を検出する色検出部を備え、前記表示制御部は、前記色検出部が検出した前記表示領域の色と分離可能な色で前記操作情報を前記表示部に表示させることを特徴とする。
【００１１】
また、本発明にかかる表示装置は、上記発明において、前記色検出部は、前記表示領域を色毎に複数の色領域に分割し、該複数の色領域のうち面積比と該色領域の視認指数に基づく値が所定値より大きい色領域の色を前記表示領域の色として検出することを特徴とする。
【００１２】
また、本発明にかかる表示装置は、上記発明において、前記表示部が表示する複数の操作情報のいずれかを選択する指示信号の入力を受け付け可能な操作入力部をさらに備え、前記表示制御部は、前記操作入力部から入力された前記指示信号に応じて選択された操作情報の形状を、他の操作情報と識別可能な形状に変更して前記表示部に表示させることを特徴とする。
【００１３】
また、本発明にかかる表示装置は、上記発明において、前記形状は、多角形、円形、楕円形、半円を直線でつないだ形状、雲形、星形、角を丸くした多角形のいずれかであることを特徴とする。
【００１４】
また、本発明にかかる表示装置は、上記発明において、前記操作情報は、当該表示装置に関する注意を示す注意情報、当該表示装置に関する警告を示す警告情報および当該表示装置が実行可能なメニューを示すメニュー情報の少なくともいずれか一つであることを特徴とする。
【００１５】
また、本発明にかかる表示装置は、上記発明において、前記２つの画像データを取得する画像取得部と、前記画像取得部が取得した前記２つの画像データそれぞれに対応する２つの画像に含まれる主被写体を検出する主被写体検出部と、前記２つの画像にそれぞれ含まれる背景に対して、前記主被写体検出部が検出した前記主被写体を識別可能に前記２つの画像データの色空間の変数を変更する色空間変更処理を行う色空間変更部と、前記色空間変更部が前記色空間変更処理を行った前記２つの画像データを用いて、前記アナグリフ方式の立体視画像データを生成する立体視画像生成部と、をさらに備え、前記表示制御部は、前記立体視画像生成部が生成した前記立体視画像データに対応する立体視画像を前記表示部に表示させることを特徴とする。
【００１６】
また、本発明にかかる表示装置は、上記発明において、前記色空間の変数は、輝度であることを特徴とする。
【００１７】
また、本発明にかかる表示装置は、上記発明において、前記色空間の変数は、彩度、色相およびホワイトバランスのいずれかであることを特徴とする。
【００１８】
また、本発明にかかる表示装置は、上記発明において、前記色空間変更部に前記色空間変更処理の実行を指示する指示信号の入力を受け付ける操作入力部をさらに備え、前記色空間変更部は、前記操作入力部から前記指示信号が入力された場合、前記色空間変更処理を実行することを特徴とする。
【００１９】
また、本発明にかかる表示装置は、上記発明において、前記被写体を撮像し、該被写体からの光線を結像した被写体画像を受光して光電変換を行うことによって画像データを生成する撮像部をさらに備え、前記画像取得部は、前記撮像部が異なる位置でそれぞれ生成した２つの画像データであって、互いの視野の左右方向の一端部同士が重なりを有する２つの画像データを前記２つの画像データとして前記撮像部から取得することを特徴とする。
【００２０】
また、本発明にかかる表示装置は、上記発明において、互いの光軸が平行または所定の角度をなすように並設され、該被写体からの光線を結像した被写体画像を受光して光電変換することによって前記２つの画像データを生成する撮像部をさらに備え、前記画像取得部は、前記撮像部が前記被写体を同時に撮像して生成した前記２つの画像データを前記撮像部から取得することを特徴とする。
【００２１】
また、本発明にかかる表示装置は、上記発明において、前記撮像部は、当該表示装置に着脱自在であることを特徴とする。
【００２２】
また、本発明にかかる表示装置は、上記発明において、前記２つの画像データを記録する記録部をさらに備え、前記画像取得部は、前記記録部から前記２つの画像データを取得することを特徴とする。
【００２３】
また、本発明にかかる表示装置は、上記発明において、前記２つの画像データを当該表示装置の外部から得る外部入力部をさらに備え、前記画像取得部は、前記外部入力部から前記２つの画像データを取得することを特徴とする。
【００２４】
また、本発明にかかる表示装置は、上記発明において、前記表示部の表示態様を変更する表示態様変更モードまたは前記２つの画像データそれぞれに対応する２つの画像のうち一方のみを前記表示部に表示させる２次元画像表示モードを指示するモード指示信号の入力を受け付けるモード切替スイッチ部をさらに備え、前記表示制御部は、前記モード切替スイッチ部から入力される前記モード指示信号に応じて、前記表示態様を変更することを特徴とする。
【００２５】
また、本発明にかかる表示方法は、同じ被写体に対して視差を有する２つの画像データを用いてアナグリフ方式の立体視画像を表示可能な表示部を備えた表示装置が実行する表示方法であって、アナグリフ方式の眼鏡に設けられた互いに異なる波長帯域の光を透過させる２つのフィルタの光学特性に基づいて、前記表示部が表示する前記立体視画像の表示態様を制御する表示制御ステップを含むことを特徴とする。
【００２６】
また、本発明にかかるプログラムは、同じ被写体に対して視差を有する２つの画像データを用いてアナグリフ方式の立体視画像を表示可能な表示部を備えた表示装置に実行させるプログラムであって、アナグリフ方式の眼鏡に設けられた互いに異なる波長帯域の光を透過させる２つのフィルタの光学特性に基づいて、前記表示部が表示する前記立体視画像の表示態様を制御する表示制御ステップを実行させることを特徴とする。
【発明の効果】
【００２７】
本発明によれば、表示制御部がアナグリフ方式の眼鏡に設けられた互い異なる波長帯域の光を透過させる２つのフィルタに応じて、表示部の表示態様を変更するこれにより、ユーザは、自然な３Ｄアナグリフ画像を視認することができるという効果を奏する。
【図面の簡単な説明】
【００２８】
【図１】図１は、本発明の実施の形態１にかかる撮像装置の構成を模式的に示すブロック図である。
【図２】図２は、本発明の実施の形態１にかかる撮像装置が実行する処理の概要を示すフローチャートである。
【図３】図３は、図２の通常再生処理の概要を示すフローチャートである。
【図４】図４は、本発明の実施の形態１にかかる撮像装置の表示制御部が２Ｄ画像上に操作情報を重畳して表示部に表示させた状態に対して、ユーザがアナグリフ眼鏡を介して視認した際に視認可能な画像を模式的に示す図である。
【図５】図５は、本発明の実施の形態１にかかる撮像装置の表示部が表示する色に対して各フィルタを介して視認することができる色の一覧を示す図である。
【図６】図６は、アナグリフ眼鏡を介して視認することができる色の一覧を示す図である。
【図７】図７は、図２のアナグリフ対応再生処理の概要を示すフローチャートである。
【図８】図８は、発明の実施の形態１にかかる撮像装置の表示制御部が３Ｄ画像上に操作情報を重畳して表示部に表示させた状態に対して、ユーザがアナグリフ眼鏡を介して視認した際に視認可能な画像を模式的に示す図である。
【図９】図９は、発明の実施の形態１にかかる撮像装置の表示制御部がアナグリフ方式の３Ｄ画像上に操作情報として通常のアイコンを重畳して表示部に表示させた状態に対して、ユーザがアナグリフ眼鏡を介して視認した際に視認可能な画像を模式的に示す図である。
【図１０】図１０は、発明の実施の形態１にかかる撮像装置の表示制御部がアナグリフ方式の３Ｄ画像上に操作情報として通常のアイコンを重畳して表示部に表示させた状態に対して、ユーザがアナグリフ眼鏡を介して視認した際に視認可能な画像を模式的に示す図である。
【図１１】図１１は、本発明の実施の形態２にかかる撮像装置の構成を模式的に示すブロック図である。
【図１２】図１２は、背景色と操作情報の色との重なりによる視認性の変化を指数化かした視認指数を示す視認指数テーブルの一例を示す図である。
【図１３】図１３は、光の３原色を示す図である。
【図１４Ａ】図１４Ａは、アナグリフ眼鏡の左目を介して視認した際の背景色と操作情報の色との重なりによる視認性の変化を指数化した視認指数を示す視認指数テーブルの一例を示す図である。
【図１４Ｂ】図１４Ｂは、アナグリフ眼鏡の右目を介して視認した際の背景色と操作情報の色との重なりによる視認性の変化を指数化した視認指数を示す視認指数テーブルの一例を示す図である。
【図１５】図１５は、本発明の実施の形態２にかかる撮像装置が実行するアナグリフ対応再生処理の概要を示すフローチャートである。
【図１６】図１６は、図１５の背景画像モデリング処理の概要を示すフローチャートである。
【図１７】図１７は、本発明の実施の形態２にかかる撮像装置のモデリング部によって３Ｄ画像上に重畳する操作情報の表示領域が色毎にモデリング化された状態の一例を示す図である。
【図１８】図１８は、本発明の実施の形態２にかかる撮像装置の背景色指数算出部および視認指数算出部が視認指数記録部によって記録された視認指数情報を用いて背景指数および視認指数を算出する際の計算の一例を示す図である。
【図１９】図１９は、本発明の実施の形態２にかかる撮像装置の表示制御部が通常のアナグリフ方式の３Ｄ画像上に操作情報を重畳して表示部に表示させた状態に対して、ユーザがアナグリフ眼鏡を介して視認した際に視認可能な画像を模式的に示す図である。
【図２０】図２０は、本発明の実施の形態２にかかる撮像装置の表示制御部が３Ｄ画像上に、操作情報生成部が生成した操作情報を重畳して表示部に表示させた状態に対して、ユーザがアナグリフ眼鏡を介して視認した際に視認可能な画像を模式的に示す図である。
【図２１】図２１は、本発明の実施の形態３にかかる撮像装置の構成を模式的に示すブロック図である。
【図２２】図２２は、本発明の実施の形態３にかかる撮像装置が実行するアナグリフ対応再生処理の概要を示すフローチャートである。
【図２３】図２３は、本発明の実施の形態３にかかる輝度成分補正部が実行する補正方法の概要を模式的に示す図である。
【図２４】図２４は、本発明の実施の形態３にかかる輝度成分補正部が実行する補正方法の概要を模式的に示す図である。
【図２５】図２５は、本発明の実施の形態３にかかる撮像装置の表示制御部が通常のアナグリフ方式の３Ｄ画像を表示部に表示させた状態に対して、ユーザがアナグリフ眼鏡を介して視認した際に視認可能な画像を模式的に示す図である。
【図２６】図２６は、本発明の実施の形態３にかかる撮像装置の表示制御部が色空間変更部によって色空間が変換された３Ｄ画像を表示部に表示させた状態に対して、ユーザがアナグリフ眼鏡を介して視認した際に視認可能な画像を模式的に示す図である。
【発明を実施するための形態】
【００２９】
以下、図面を参照して、本発明を実施するための形態（以下、「実施の形態」という）を説明する。なお、以下の説明では、本発明の表示装置が搭載された撮像装置を例に説明する。また、この実施の形態によって本発明が限定されるものではない。さらに、図面の記載において、同一の部分には同一の符号を付して説明する。
【００３０】
（実施の形態１）
図１は、本発明の実施の形態１にかかる撮像装置の構成を模式的に示すブロック図である。図１に示す撮像装置１は、撮像部１０と、外部Ｉ／Ｆ２０と、操作入力部３０と、画像処理部４０と、記録部５０と、表示部６０と、制御部７０と、を備える。
【００３１】
撮像部１０は、被写体を撮像して被写体の画像データを生成する。撮像部１０は、所定の視野領域から光を集光して結像する光学系と、光学系が集光して結像した被写体像を撮像面で受光して光電変換を行うことによって、光を電気信号（アナログ信号）に変換するＣＣＤ（Charge  Coupled  Device）またはＣＭＯＳ（Complementary  Metal  Oxide  Semiconductor）等の撮像素子と、撮像素子から出力される電気信号に増幅（ゲイン調整）等の信号処理を施すアナログフロントエンド回路と、アナログフロントエンド回路から出力される電気信号をＡ／Ｄ変換することによってデジタルの画像データに変換するＡ／Ｄ変換回路と、を有する。なお、撮像部１０は、被写体を異なる位置から撮像し、互いの視野の左右方向の一端部同士が重なりを有し、２つの画像データを生成可能な２眼式を適用してもよい。
【００３２】
外部Ｉ／Ｆ２０は、他の機器と通信を行って画像データを含む各種データが入力される通信インターフェースである。外部Ｉ／Ｆ２０は、所定の無線通信規格に従って、他の機器と無線通信を行って画像データを含む各種データを受信してもよい。
【００３３】
操作入力部３０は、撮像装置１を駆動する指示信号の入力を受け付ける電源スイッチ３１と、撮影の指示を与えるレリーズ信号の入力を受け付けるレリーズスイッチ３２と、撮像装置１に設定された各種撮影モード切替の指示を与える切替信号の入力を受け付けるモード切替スイッチ３３と、撮像装置１の各種パラメータを設定する設定信号の入力を受け付ける設定スイッチ３４と、記録部５０が記録する画像データを表示部６０に再生表示させる指示信号の入力を受け付ける再生スイッチ３５と、を有する。
【００３４】
画像処理部４０は、制御部７０を介して撮像部１０、外部Ｉ／Ｆ２０および記録部５０のいずれかから画像データを取得し、取得した画像データに対して各種の画像処理を行う。画像処理部４０は、画像取得部４１と、３Ｄ画像生成部４２と、色検出部４３と、操作情報生成部４４と、を備える。
【００３５】
画像取得部４１は、制御部７０を介して撮像部１０、外部Ｉ／Ｆ２０および記録部５０のいずれかから、同一の被写体に対して互いに視差を有する２つの画像データを取得する。ここで、２つの画像データとは、右目用画像データと左目用画像データである。また、画像取得部４１は、制御部７０を介して撮像部１０、外部Ｉ／Ｆ２０および記録部５０のいずれから１つの画像データを取得する。
【００３６】
３Ｄ画像生成部４２は、画像取得部４１が取得した２つの画像データを用いてアナグリフ方式の３Ｄ画像データを生成する。具体的には、３Ｄ画像生成部４２は、左目用画像データからマゼンダ（magenta）の成分および黄（Yellow）の成分をそれぞれ抽出し、この抽出したマゼンダの成分および黄の成分を合成することによってアナグリフ方式の左目用画像データを生成する一方、右目画像用データからシアン（Cyan）の成分を抽出し、この抽出したシアンの成分からアナグリフ方式の右目用画像データを生成する。
【００３７】
色検出部４３は、画像取得部４１が取得した２つの画像データそれぞれに対応する２つの画像に含まれる色成分を検出し、この検出結果を操作情報生成部４４へ出力する。具体的には、色検出部４３は、３Ｄ画像上に後述する撮像装置１に関する操作情報を重畳する表示領域の色を検出し、この検出結果を操作情報生成部４４へ出力する。また、色検出部４３は、３Ｄ画像を構成する画素毎に色成分を検出し、この検出結果を操作情報生成部４４へ出力してもよい。
【００３８】
操作情報生成部４４は、操作入力部３０から入力される指示信号および色検出部４３から入力される検出結果に基づいて、３Ｄ画像上に重畳する撮像装置１に関するアナグリフ方式の操作情報（操作データ）を生成し、この生成した操作情報を制御部７０へ出力する。ここで、操作情報とは、撮像装置１に関する注意を示す注意情報、撮像装置１に関する警告を示す警告情報、および撮像装置１が実行可能なメニューを示すメニュー情報を含む。また、操作情報生成部４４は、表示部６０が通常の２Ｄ画像を表示する場合、操作入力部３０から入力される指示信号に応じた撮像装置１に関する操作情報を生成し、この生成した操作情報を制御部７０へ出力する。
【００３９】
記録部５０は、撮像装置１が実行する各種プログラムおよび画像処理部４０が実行するプログラムを記録するプログラム記録部５１と、撮像部１０が撮像した画像データ（たとえばＲＡＷデータやＪＰＥＧ方式による圧縮データ）、画像処理部４０が画像処理を施した３Ｄ画像データおよび２Ｄ画像データを記録する画像データ記録部５２と、を有する。記録部５０は、撮像装置１の内部に固定的に設けられるＦｌａｓｈメモリやＤＲＡＭ（Dynamic  Random  Access  Memory）等の半導体メモリおよび撮像装置１の外部から図示しないＩ／Ｆを介して装着されるメモリカードを用いて構成される。
【００４０】
表示部６０は、制御部７０の制御のもと、画像データに対応する２Ｄ画像または３Ｄ画像を表示する。表示部６０は、液晶または有機ＥＬ（Electro  Luminescence）等からなる表示パネルおよび表示駆動ドライバ等を用いて構成される。ここで、画像の表示には、撮影直後の撮影後確認表示（以下、「レックビュー表示」という）、記録部５０に記録された画像データを再生する再生表示、および撮像部１０が連続的に生成する画像データに対応するライブビュー画像を時系列に沿って順次表示するライブビュー画像表示等が含まれる。ここで、レックビュー表示とは、撮影直後の画像データを所定時間（たとえば３秒）だけ表示するものである。また、表示部６０は、制御部７０の制御のもと、撮像装置１の操作情報および撮影に関する情報を適宜表示する。
【００４１】
制御部７０は、撮像装置１を構成する各部に対して制御信号や各種データの転送を行うことにより、撮像装置１の動作を統括的に制御する。制御部７０は、ＣＰＵ（Central  Processing  Unit）等を用いて構成される。ここで、制御部７０の詳細な構成について説明する。制御部７０は、撮影制御部７１と、表示制御部７２と、を有する。
【００４２】
撮影制御部７１は、レリーズスイッチ３２を介してレリーズ信号が入力された場合、撮像装置１における撮影動作を開始する制御を行う。ここで、撮像装置１における撮影動作とは、撮像部１０を駆動することによって撮像部１０が出力した画像データ（ＲＡＷデータや）に対して、少なくとも画像処理部４０が所定の処理を施す動作をいう。このように処理が施された画像データは、撮影制御部７１によって記録部５０に記録される。
【００４３】
表示制御部７２は、画像処理部４０から入力される３Ｄ画像データに対応する３Ｄ画像または立体視画像ではない通常の画像データに対応する画像（以下、「２Ｄ画像」という）を表示部６０に表示させる制御を行う。具体的には、表示制御部７２は、表示部６０に３Ｄ画像を表示させる場合、画像処理部４０によって生成された３Ｄ画像データに対応する３Ｄ画像を表示部６０に表示させる。これに対して、表示制御部７２は、表示部６０に２Ｄ画像を表示させる場合、画像処理部４０によって生成された２Ｄ画像データに対応する２Ｄ画像を表示部６０に表示させる。また、表示制御部７２は、アナグリフ眼鏡に設けられた互いに異なる波長帯域の光を透過させる２つのフィルタの光学特性に基づいて、表示部６０が表示する立体画像の表示態様を制御する。さらに、表示制御部７２は、表示部６０が表示する３Ｄ画像上に、操作情報生成部４４によって生成されたアナグリフ方式に対応した操作情報を重畳して表示部６０に表示させる。
【００４４】
以上の構成を有する撮像装置１が実行する処理について説明する。図２は、撮像装置１が実行する処理の概要を示すフローチャートである。
【００４５】
図２に示すように、まず、ユーザによって電源スイッチ３１が操作されて、撮像装置１の電源がオンになると、制御部７０は、撮像装置１の初期化処理を行う（ステップＳ１０１）。撮像装置のオートパワーオフ機能を有効にするための動作フラグをクリアする初期化等を行う。
【００４６】
続いて、撮像装置１が撮影モードに設定されている場合（ステップＳ１０２：Ｙｅｓ）、撮影制御部７１は、レリーズスイッチ３２から入力されるレリーズ信号に応じて、撮像部１０を駆動することによって撮像部１０に画像データを生成させ、この画像データを画像処理部４０に画像処理を施させて記録部５０に記録する撮影動作処理を実行する（ステップＳ１０３）。
【００４７】
その後、電源スイッチ３１が操作されて、撮像装置１の電源がオフになった場合（ステップＳ１０４：Ｙｅｓ）、制御部７０は、各フラグを初期状態にする処理や撮像部１０を初期状態に戻す終了処理を実行する（ステップＳ１０５）。たとえば、制御部７０は、撮像部１０の光学系を初期位置に移動させる処理を行う。ステップＳ１０５の後、撮像装置１は、本処理を終了する。これに対して、電源スイッチ３１が操作されず、撮像装置１の電源がオフになっていない場合（ステップＳ１０４：Ｎｏ）、撮像装置１は、ステップＳ１０２へ戻る。
【００４８】
ステップＳ１０２において、撮像装置１が撮影モードに設定されていない場合（ステップＳ１０２：Ｎｏ）において、撮像装置１がアナグリフ再生モードに設定されているとき（ステップＳ１０６：Ｙｅｓ）、撮像装置１は、後述するステップＳ１０８へ移行する。これに対して、撮像装置１がアナグリフ再生モードに設定されていないとき（ステップＳ１０６：Ｎｏ）、撮像装置１は、後述するステップＳ１０７へ移行する。
【００４９】
ステップＳ１０７において、撮像装置１は、記録部５０の画像データ記録部５２に記録された通常の画像データに対応する２Ｄ画像を表示部６０に表示させる通常再生処理を実行する。なお、通常再生処理の詳細は後述する。ステップＳ１０７の後、撮像装置１は、ステップＳ１０４へ移行する。
【００５０】
ステップＳ１０８において、撮像装置１は、記録部５０の画像データ記録部５２に記録された３Ｄ画像データに対応する３Ｄ画像を表示部６０に表示させるアナグリフ対応再生処理を実行する。なお、アナグリフ対応再生処理の詳細は後述する。ステップＳ１０８の後、撮像装置１は、ステップＳ１０４へ移行する。
【００５１】
つぎに、図２のステップＳ１０７の通常再生処理について説明する。図３は、通常再生処理の概要を示すフローチャートである。
【００５２】
図３に示すように、画像取得部４１は、画像データ記録部５２から再生対象の画像ファイルデータを取得する（ステップＳ２０１）。たとえば、画像取得部４１は、画像データ記録部５２に記録された複数の画像ファイルデータの中から最新の画像ファイルデータを再生対象の画像ファイルデータとして取得する。
【００５３】
続いて、表示制御部７２は、画像処理部４０が画像処理を施した画像データに対応する２Ｄ画像に、操作情報生成部４４によって通常の設定（ＯＳＤ；On  Screen  Display)設定）を用いて生成された操作情報を重畳して表示部６０に表示させる（ステップＳ２０２）。
【００５４】
図４は、表示制御部７２が２Ｄ画像Ｗ１LR上に操作情報を重畳して表示部６０に表示させた状態に対して、ユーザがアナグリフ眼鏡１００を介して視認した際に視認可能な画像を模式的に示す図である。図５は、表示部６０が表示する色に対して各フィルタを介して視認することができる色の一覧を示す図である。図６は、アナグリフ眼鏡を介して視認することができる色の一覧を示す図である。また、本実施の形態１では、アナグリフ眼鏡として互いに異なる波長帯域の光を透過させる２つのフィルタとして、左目に赤（Red）フィルタ、左目にシアン（Cyan）フィルタを用いた場合を説明する。なお、アナグリフ眼鏡のフィルタとしては、たとえばマゼンダと緑（Green）であってもよく、適宜変更することができる。
【００５５】
図４に示すように、表示制御部７２は、画像データに対応する２Ｄ画像Ｗ１LR上に、撮像装置１に関する操作情報を重畳して表示部６０に表示させる。これにより、ユーザは、裸眼の状態であれば、表示部６０を介して撮像装置１の操作情報を把握することができる。また、図４に示す状況は、操作入力部３０を介して指定した画像ファイルデータに記録された画像データの再生表示ができない旨のメッセージの再生不可を赤色で示す。さらに、図４に示す２Ｄ画像Ｗ１LRは、背景画像を黒（Black）で表示し、操作情報を赤で表示した状態を示す。このような状況下において、ユーザがアナグリフ眼鏡１００を装着して２Ｄ画像Ｗ１LRを視認したとき、左目では画像Ｗ１Lを視認する一方、右目では画像Ｗ１Rを視認する。具体的には、図５の視認テーブルＴ１および図６の視認テーブルＴ２に示すように、ユーザがアナグリフ眼鏡１００を用いて２Ｄ画像Ｗ１LRを視認した場合、シアンフィルタによって赤が黒に変換され、かつ、背景が黒のため、操作情報が背景に埋もれてしまい、右目においては操作情報を視認することができない。
【００５６】
図３に戻り、ステップＳ２０３以降の説明を続ける。ステップＳ２０３において、制御部７０は、操作入力部３０から操作情報の表示を変更する指示信号が入力されたか否かを判断する。具体的には、制御部７０は、操作入力部３０の設定スイッチ３４から撮影条件のパラメータ、たとえば、絞り値を変更する指示信号が入力されたか否かを判断する。制御部７０が操作入力部３０から操作情報の表示を変更する指示信号が入力されたと判断した場合（ステップＳ２０３：Ｙｅｓ）、撮像装置１は、ステップＳ２０２へ戻る。これに対して、制御部７０が操作入力部３０から操作情報の表示を変更する指示信号が入力されていないと判断した場合（ステップＳ２０３：Ｎｏ）、撮像装置１は、ステップＳ２０４へ移行する。
【００５７】
ステップＳ２０４において、操作入力部３０から再生画像を変更する指示信号が入力された場合（ステップＳ２０４：Ｙｅｓ）、撮像装置１は、ステップＳ２０１へ戻る。これに対して、操作入力部３０から再生画像を変更する指示信号が入力されていない場合（ステップＳ２０４：Ｎｏ）、撮像装置１は、ステップＳ２０５へ移行する。
【００５８】
続いて、操作入力部３０から再生モードを終了する指示信号が入力された場合（ステップＳ２０５：Ｙｅｓ）、撮像装置１は、図２のメインルーチンへ戻る。これに対して、操作入力部３０から再生モードを終了する指示信号が入力されていない場合（ステップＳ２０５：Ｎｏ）、撮像装置１は、ステップＳ２０３へ戻る。
【００５９】
つぎに、図２のステップＳ１０８のアナグリフ対応再生処理について説明する。図７は、アナグリフ対応再生処理の概要を示すフローチャートである。
【００６０】
図７に示すように、画像取得部４１は、画像データ記録部５２から再生対象の画像ファイルデータを取得する（ステップＳ３０１）。この際、画像取得部４１は、被写体に対して互いに視差を有する２つの画像データが記録された画像ファイルデータを画像データ記録部５２から取得する。
【００６１】
続いて、３Ｄ画像生成部４２は、画像取得部４１が取得した画像ファイルデータに含まれる２つの画像データを用いて、アナグリフ方式の３Ｄ画像データを生成する（ステップＳ３０２）。
【００６２】
その後、色検出部４３は、３Ｄ画像生成部４２が生成した３Ｄ画像データに対応する３Ｄ画像の色を検出する（ステップＳ３０３）。具体的には、色検出部４３は、３Ｄ画像を構成する画素群で最も用いられた色を検出する。なお、色検出部４３は、３Ｄ画像上の所定の領域の色を検出してもよい。また、色検出部４３は、３Ｄ画像上の最も輝度成分が大きい色を検出してもよい。さらに、色検出部４３は、３Ｄ画像上における主被写体の主被写体領域または背景の背景領域の色を検出してもよい。
【００６３】
続いて、操作情報生成部４４は、色検出部４３が検出した色に応じた操作情報を生成する（ステップＳ３０４）。具体的には、操作情報生成部４４は、色検出部４３が背景を黒と検出した場合、アナグリフ眼鏡１００の各フィルタで視認可能な色、たとえば白（White）で操作情報を生成する。
【００６４】
その後、表示制御部７２は、３Ｄ画像生成部４２によって生成された３Ｄ画像データに対応した３Ｄ画像に、操作情報生成部４４によって生成された操作情報を重畳して表示部６０に表示させる（ステップＳ３０５）。
【００６５】
図８は、表示制御部７２が３Ｄ画像Ｗ２LR上に操作情報を重畳して表示部６０に表示させた状態に対して、ユーザがアナグリフ眼鏡１００を介して視認した際に視認可能な画像を模式的に示す図である。なお、図８に示す３Ｄ画像Ｗ２LRは、背景が黒で表示され、操作情報が白で表示された状態を示す。
【００６６】
図８に示すように、表示制御部７２は、３Ｄ画像Ｗ２LRに撮像装置１に関する操作情報、たとえば再生不可を重畳して表示部６０に表示させる。このような状況下において、ユーザがアナグリフ眼鏡１００を装着して３Ｄ画像Ｗ２LRを視認したとき、左目では画像Ｗ２Lを視認する一方、右目では画像Ｗ２Rを視認する。具体的には、ユーザは、左目では操作情報としての再生不可を赤で視認する一方、右目では操作情報としての再生不可をシアンで視認する。この結果、ユーザは、３Ｄ画像Ｗ２LRを立体的に視認しながら、３Ｄ画像Ｗ２LR上における撮像装置１に関する操作情報を白で良好に視認することができる。
【００６７】
図７に戻り、ステップＳ３０６以降の説明を続ける。ステップＳ３０６において、操作入力部３０から操作情報の表示を変更する指示信号が入力された場合（ステップＳ３０６：Ｙｅｓ）、撮像装置１は、ステップＳ３０３へ戻る。これに対して、操作入力部３０から操作情報の表示を変更する指示信号が入力されていない場合（ステップＳ３０６：Ｎｏ）、撮像装置１は、ステップＳ３０７へ移行する。
【００６８】
続いて、操作入力部３０から再生画像を変更する指示信号が入力された場合（ステップＳ３０７：Ｙｅｓ）、撮像装置１は、ステップＳ３０１へ戻る。これに対して、操作入力部３０から再生画像を変更する指示信号が入力されていない場合（ステップＳ３０７：Ｎｏ）、撮像装置１は、ステップＳ３０８へ移行する。
【００６９】
その後、操作入力部３０から再生モードを終了する指示信号が入力された場合（ステップＳ３０８：Ｙｅｓ）、撮像装置１は、図２のメインルーチンへ戻る。これに対して、操作入力部３０から再生モードを終了する指示信号が入力されていない場合（ステップＳ３０８：Ｎｏ）、撮像装置１は、ステップＳ３０６へ戻る。
【００７０】
以上説明した本発明の実施の形態１によれば、表示制御部７２がアナグリフ眼鏡１００に設けられた互いに異なる波長帯域の光を透過させる２つのフィルタに応じて、表示部６０の表示態様を変更する。これにより、ユーザは、アナグリフ方式の３Ｄ画像を良好な状態で視認することができる。
【００７１】
また、本発明の実施の形態１によれば、表示制御部７２がアナグリフ眼鏡１００の２つのフィルタで識別可能な色で撮像装置１に関する操作情報を３Ｄ画像上に重畳して表示部６０に表示させる。これにより、ユーザは、アナグリフ方式の３Ｄ画像であっても、撮像装置１に関する操作情報を良好に視認することができる。
【００７２】
また、本発明の実施の形態１によれば、表示制御部７２が色検出部４３によって検出された３Ｄ画像上に重畳する操作情報の表示領域の色と分離可能な色で操作情報を表示部６０に表示させる。これにより、ユーザは、より良好に操作情報を視認することができる。
【００７３】
（実施の形態１の変形例１）
本実施の形態１では、操作情報生成部４４が色検出部４３によって検出された３Ｄ画像データに対応する３Ｄ画像の色成分に応じて操作情報を示すアイコンの形状や色を変更して操作情報を生成してもよい。
【００７４】
図９は、表示制御部７２がアナグリフ方式の３Ｄ画像上に操作情報として通常のアイコンを重畳して表示部６０に表示させた状態に対して、ユーザがアナグリフ眼鏡１００を介して視認した際に視認可能な画像を模式的に示す図である。図１０は、本実施の形態１の変形例１にかかる撮像装置１の表示制御部７２がアナグリフ方式の３Ｄ画像上に操作情報として通常のアイコンを重畳して表示部６０に表示させた状態に対して、ユーザがアナグリフ眼鏡１００を介して視認した際に視認可能な画像を模式的に示す図である。
【００７５】
図９に示すように、表示部６０が３Ｄ画像Ｗ３LRに操作情報として通常のアイコンＡ１〜Ａ４を表示している場合において、アイコンＡ２が選択されているとき、表示制御部７２は、選択されたアイコンＡ２を他のアイコンＡ１，Ａ３，Ａ４に比して黄で強調（ハイライト表示）して表示部６０に表示させる。このような状況下で、図９に示すように、ユーザがアナグリフ眼鏡１００を装着して３Ｄ画像Ｗ３LRを視認した場合、左目では画像Ｗ３Lを視認する一方、右目では、画像Ｗ３Rを視認する。しかしながら、３Ｄ画像Ｗ３LRでは、表示部６０が選択されたアイコンＡ２を黄で表示しているとともに、アイコンＡ３、Ａ４をマゼンダで表示している。この場合、ユーザが裸眼であれば、黄とマゼンダとで識別し易い組み合わせであるが、アナグリフ眼鏡１００を装着して視認すると同じ色で視認してしまう。さらに、アイコンＡ１〜Ａ４の形状が同じ形状である。このため、ユーザは、選択したアイコンを把握することが難しかった。さらに、ユーザは、表示部６０が表示する各アイコンの形状が同じのため、どれを選択したか容易に把握することができなかった。
【００７６】
これに対して、図１０に示すように、表示部６０が３Ｄ画像Ｗ４LRに操作情報としてアイコンを表示する場合、表示制御部７２は、色検出部４３が３Ｄ画像Ｗ４LRから検出した色に応じて操作情報に関するアイコンを他の操作情報のアイコンと識別可能な色に変更して３Ｄ画像Ｗ４LRに重畳して表示部６０に表示させる。さらに、表示制御部７２は、操作入力部３０から入力された指示信号に応じて選択されたアイコンを他の操作情報としてのアイコンと識別可能な形状に変更して表示部６０に表示させる。たとえば、図１０に示すように、表示制御部７２は、アイコンＡ２を矩形状から楕円状または半円を直線でつないだ形状に変更して表示部６０に表示させる。
【００７７】
以上説明した本発明の実施の形態１の変形例１によれば、表示制御部７２が色検出部４３によって検出された色および操作入力部３０から入力された指示信号に基づいて、選択されたアイコンの色および形状を変更して表示部６０に表示させる。これにより、ユーザは、選択した操作情報を他の操作情報と識別した状態で容易に把握することができる。
【００７８】
なお、本発明の実施の形態１の変形例１では、表示制御部７２が選択された操作情報としてのアイコンの形状を楕円または半円を直線でつないだ形状で表示部６０に表示させていたが、たとえば多角形、円形、雲形、星形、角の丸まった多角形等のいずれかであってもよい。さらに、表示制御部７２は、操作入力部３０を介して選択された操作情報としてのアイコンの枠を他のアイコンに比して強調、たとえば太線や点線にして表示部６０に表示させてもよい。この場合、表示制御部７２は、線の色を背景と識別可能な色で表示部６０に表示させてもよい。
【００７９】
（実施の形態２）
つぎに、本発明の実施の形態２について説明する。本実施の形態２にかかる撮像装置は、上述した実施の形態１にかかる撮像装置と構成が異なるうえ、アナグリフ対応再生処理も異なる。このため、以下においては、本実施の形態２にかかる撮像装置の構成を説明後、本実施の形態２にかかる撮像装置が実行するアナグリフ対応再生処理について説明する。なお、上述した実施の形態１にかかる撮像装置１と同一の構成には同一の符号を付して説明する。
【００８０】
図１１は、本発明の実施の形態２にかかる撮像装置２の構成を模式的に示すブロック図である。図１１に示す撮像装置１は、撮像部１０と、外部Ｉ／Ｆ２０と、操作入力部３０と、表示部６０と、制御部７０と、画像処理部２００と、記録部２１０と、を備える。
【００８１】
画像処理部２００は、制御部７０を介して撮像部１０、外部Ｉ／Ｆ２０および記録部２１０のいずれかから画像データを取得し、取得した画像データに対して各種の画像処理を行う。画像処理部２００は、画像取得部４１と、３Ｄ画像生成部４２と、操作情報生成部４４と、色検出部２０１と、を有する。
【００８２】
色検出部２０１は、３Ｄ画像上に操作情報を重畳する表示領域を色毎に複数の色領域に分割し、この複数の色領域のうち面積が一番大きい色領域の色を表示領域の色として検出する。ここで、色検出部２０１は、モデリング部２０１ａと、背景色指数算出部２０１ｂと、視認指数算出部２０１ｃと、色設定部２０１ｄと、を有する。
【００８３】
モデリング部２０１ａは、３Ｄ画像上に重畳する撮像装置２に関する操作情報の表示領域を色毎に複数の色領域に分割するモデリング処理を行う。具体的には、モデリング部２０１ａは、３Ｄ画像の各画素の輝度成分とＲＧＢ成分（赤、緑、青）と、補色成分（マゼンダ、黄、シアン）と、白の成分と、黒の成分とを検出して数値化を行い、この数値を用いて操作情報の表示領域を色毎に複数の色領域に分割する。
【００８４】
背景色指数算出部２０１ｂは、表示部６０が表示する３Ｄ画像上に重畳する撮像装置２に関する操作情報の表示領域毎に背景色指数を算出する。
【００８５】
視認指数算出部２０１ｃは、表示部６０が表示する３Ｄ画像上に重畳する操作情報の表示領域毎に背景指数に対する視認指数を算出する。
【００８６】
色設定部２０１ｄは、背景色指数算出部２０１ｂが算出した背景色指数と視認指数算出部２０１ｃが算出した視認指数とに基づいて、操作情報生成部４４が生成する撮像装置２に関する操作情報の色を設定する。
【００８７】
記録部２１０は、プログラム記録部５１と、画像データ記録部５２と、視認指数記録部２１１と、を有する。
【００８８】
視認指数記録部２１１は、背景色と操作情報の色との重なりによる視認性の変化を指数化した視認指数およびアナグリフ眼鏡１００を介して視認した際の背景色と操作情報の色との重なりによる視認性の変化を指数化した視認指数を含む視認指数情報を記録する。
【００８９】
図１２は、背景色と操作情報の色との重なりによる視認性の変化を指数化した視認指数を示す視認指数テーブルの一例を示す図である。図１３は、光の３原色を示す図である。図１４Ａは、アナグリフ眼鏡１００の左目（赤）を介して視認した際の背景色と操作情報の色との重なりによる視認性の変化を指数化した視認指数を示す視認指数テーブルの一例を示す図である。図１４Ｂは、アナグリフ眼鏡１００の右目（シアン）を介して視認した際の背景色と操作情報の色との重なりによる視認性の変化を指数化した視認指数を示す視認指数テーブルの一例を示す図である。
【００９０】
図１２に示す視認指数は、図１３に示す光の３原色によって定義される。具体的には、図１３に示すように、視認指数は、ＲＧＢの加法混色における同色で視認することができないものを「０」とし、ＲＧＢの加法混色における隣接した色を視認することができるものを「０．５」とし、ＲＧＢの加法混色における隣接以外の色を視認することができるものを「１」とする。たとえば、視認指数は、背景色が赤の場合において、操作情報の色が赤のとき「０」、操作情報の色がマゼンダまたは黄色のとき「０．５」、操作情報の色が
白、緑、シアン、青および黒のいずれかのとき「１」となる。このように、図１２に示す視認指数テーブルＴ３の値は、光の３原色によって定義される。なお、視認指数は、「０」、「０．５」、「１」に限るものではなく、たとえば「０」、「５０」、「１００」や「−１」、「０」、「＋１」等を用いてもよい。また、視認指数は、光の３原色に変えて、色の３原色によって定義されてもよい。
【００９１】
図１４Ａおよび図１４Ｂに示す視認指数テーブルＴ４，Ｔ５には、背景色と操作情報の色との重なりによる視認性の変化を指数化した値が記載されている。このように、背景色指数算出部２０１ｂおよび視認指数算出部２０１ｃは、それぞれ視認指数テーブルＴ４，Ｔ５を用いて指数を算出する。
【００９２】
以上の構成を有する撮像装置２が実行するアナグリフ対応再生処理について説明する。図１５は、撮像装置２が実行するアナグリフ対応再生処理の概要を示すフローチャートである。
【００９３】
図１１に示すように、画像取得部４１は、画像データ記録部５２から再生対象の画像ファイルデータを取得する（ステップＳ４０１）。
【００９４】
続いて、３Ｄ画像生成部４２は、画像取得部４１が取得した画像ファイルデータに記録された２つの画像データを用いて、アナグリフ方式の３Ｄ画像データを生成する（ステップＳ４０２）。
【００９５】
その後、色検出部２０１は、画像取得部４１が取得した画像ファイルデータに含まれる２つの画像データそれぞれに対応する２つの画像内における背景画像を色成分毎にモデリングする背景画像モデリング処理を実行する（ステップＳ４０３）。
【００９６】
図１６は、図１５のステップＳ４０３の背景画像モデリング処理の概要を示すフローチャートである。
【００９７】
図１６に示すように、モデリング部２０１ａは、背景画像の各画素の輝度成分とＲＧＢ成分を検出して０〜２５５で数値化を行う（ステップＳ５０１）。
【００９８】
続いて、輝度成分が０〜３０である場合（ステップＳ５０２：Ｙｅｓ）、モデリング部２０１ａは、対象画素を白として分類して検出する（ステップＳ５０３）。ステップＳ５０３の後、撮像装置２は、図１５のアナグリフ対応再生処理へ戻る。
【００９９】
ステップＳ５０２において、輝度成分が０〜３０でない場合（ステップＳ５０２：Ｎｏ）において、輝度成分が２１５〜２５５であるとき（ステップＳ５０４：Ｙｅｓ）、モデリング部２０１ａは、対象画素を黒として分類して検出する（ステップＳ５０５）。ステップＳ５０５の後、撮像装置２は、図１５のアナグリフ対応再生処理へ戻る。
【０１００】
ステップＳ５０４において、輝度成分が２１５〜２５５でないとき（ステップＳ５０４：Ｎｏ）、撮像装置２は、ステップＳ５０６へ移行する。
【０１０１】
続いて、ＲＧＢ成分の値差が２０以内である場合（ステップＳ５０６：Ｙｅｓ）、モデリング部２０１ａは、対象画素を黒として分類して検出する（ステップＳ５０７）。ステップＳ５０７の後、撮像装置２は、図１５のアナグリフ対応再生処理へ戻る。
【０１０２】
ステップＳ５０６において、ＲＧＢ成分の値差が２０以内でない場合（ステップＳ５０６：Ｎｏ）において、ＲＧＢ成分で一番大きな値と２番目の値の差が１００以上のとき（ステップＳ５０８：Ｙｅｓ）、モデリング部２０１ａは、対象画素を最大値のＲ（赤）、Ｇ（緑）およびＢ（青）のいずれかであると分類して検出する（ステップＳ５０９）。ステップＳ５０９の後、撮像装置２は、図１５のアナグリフ対応再生処理へ戻る。
【０１０３】
ステップＳ５０８において、ＲＧＢ成分で一番大きな値と２番目の値の差が１００以上でないとき（ステップＳ５０８：Ｎｏ）、モデリング部２０１ａは、対象画素を最大値の色と２番目の色を合成したシアン（Ｃ）、マゼンダ（Ｍ）および黄（Ｙ）のいずれかであると分類して検出する（ステップＳ５１０）。その後、撮像装置２は、図１５のアナグリフ対応再生処理へ戻る。
【０１０４】
図１５に戻り、ステップＳ４０４以降の説明を続ける。ステップＳ４０４において、背景色指数算出部２０１ｂは、表示部６０が表示する３Ｄ画像上に重畳する操作情報の表示領域毎に背景色指数を算出する。
【０１０５】
続いて、視認指数算出部２０１ｃは、表示部６０が表示する３Ｄ画像上に重畳する操作情報の表示領域毎に背景指数に対する視認指数を算出する（ステップＳ４０５）。
【０１０６】
図１７は、モデリング部２０１ａによって３Ｄ画像上に重畳する操作情報の表示領域が色毎にモデリング化された状態の一例を示す。図１８は、背景色指数算出部２０１ｂおよび視認指数算出部２０１ｃが視認指数記録部２１１によって記録された視認指数情報を用いて背景指数および視認指数を算出する際の計算の一例を示す図である。
【０１０７】
図１７および図１８に示すように、背景色指数算出部２０１ｂは、視認指数記録部２１１が記録する視認指数情報テーブルＴ６を用いて、モデリング部２０１ａがモデリング化した画像Ｗ５で操作情報を重畳する表示領域Ｒ１における色領域Ｄ１〜Ｄ３毎に背景色指数を算出する。たとえば、図１８に示すように、背景色指数算出部２０１ｂは、アナグリフ眼鏡１００の左目（赤）の場合において、表示領域Ｒ１における緑／黒の色領域Ｄ１の面積比が２５％、白の色領域Ｄ２の面積比が３０％、シアン／黒の色領域Ｄ３の面積比が４５％の場合、各色領域の面積比に対して各色の視認指数を乗じることによって、背景色指数（７０、７０、３０、３０、３０、７０、７０、３０）を算出する（矢印Ａを参照）。同様に背景色指数算出部２０１ｂは、アナグリフ眼鏡１００の右目（シアン）の場合の背景色指数を算出する（矢印Ａを参照）。その後、視認指数算出部２０１ｃは、背景色指数算出部２０１ｂが算出したアナグリフ眼鏡１００の左目および右目それぞれの背景色指数を加算することによって視認指数を算出する。具体的には、図１８に示すように、視認指数算出部２０１ｃは、白の場合、背景色指数算出部２０１ｂが左目で算出した７０に、背景色指数算出部２０１ｂが右目で算出した１２．５を加算することによって、視認指数として８２．５を算出する。
【０１０８】
ステップＳ４０６において、色設定部２０１ｄは、背景色指数算出部２０１ｂが算出した背景色指数と視認指数算出部２０１ｃが算出した視認指数とに基づいて、操作情報の色を設定する。具体的には、図１８に示すように、色設定部２０１ｄは、視認指数算出部２０１ｃが色毎に算出した視認指数を示す視認指数テーブルＴ８を参照して、操作情報の色を設定する。図１８に示す状況下では、色設定部２０１ｄは、視認指数が最も高い赤を操作情報の色として設定する（矢印Ｂを参照）。
【０１０９】
続いて、操作情報生成部４４は、色設定部２０１ｄによって設定された色で撮像装置２に関する操作情報を生成する（ステップＳ４０７）。
【０１１０】
その後、表示制御部７２は、３Ｄ画像生成部４２が生成した３Ｄ画像データに対応する３Ｄ画像上に、操作情報生成部４４が生成した操作情報を表示領域R１に重畳して表示部６０に表示させる（ステップＳ４０８）。これにより、ユーザは、表示部６０が表示する３Ｄ画像が背景画像であっても、撮像装置２に関する操作情報を良好に視認することができる。
【０１１１】
図１９は、表示制御部７２が通常のアナグリフ方式の３Ｄ画像上に操作情報を重畳して表示部６０に表示させた状態に対して、ユーザがアナグリフ眼鏡１００を介して視認した際に視認可能な画像を模式的に示す図である。図２０は、表示制御部７２が３Ｄ画像上に、操作情報生成部４４が生成した操作情報を重畳して表示部６０に表示させた状態に対して、ユーザがアナグリフ眼鏡１００を介して視認した際に視認可能な画像を模式的に示す図である。
【０１１２】
図１９に示すように、表示部６０が背景の３Ｄ画像Ｗ６LR上に操作情報（たとえば注意の文字）の色を黄で重畳して表示させた場合において、ユーザがアナグリフ眼鏡１００を装着して３Ｄ画像Ｗ６LRを視認したとき、左目では赤フィルタを介するので画像Ｗ６Lを視認する一方、右目ではシアンフィルタを介するのでＷ６Rを視認する。しかしながら、図１９に示すように、左目では画像Ｗ６Lの操作情報の黄が背景の白に溶け込んでしまい、右目ではＷ６Rの操作情報黄が背景の緑に溶け込んでしまう。このため、ユーザは、操作情報を良好な状態で視認することができない。
【０１１３】
これに対して、図２０に示すように、表示制御部７２が３Ｄ画像Ｗ７LR上に操作情報生成部４４によって生成された操作情報を重畳して表示部６０に表示させた場合において、ユーザがアナグリフ眼鏡１００を装着して３Ｄ画像Ｗ７LRを視認したとき、左目では画像Ｗ７Lを視認する一方、右目では画像Ｗ７Rを視認する。具体的には、図２０に示すように、画像Ｗ７Rでは、操作情報の赤が３Ｄ画像Ｗ７LRの背景から分離されて視認する。これにより、ユーザは、３Ｄ画像Ｗ７LRであっても、操作情報を良好に視認することができる。
【０１１４】
ステップＳ４０９〜ステップＳ４１１は、図７のステップＳ４０６〜ステップＳ４０８にそれぞれ対応する。
【０１１５】
以上説明した本発明の実施の形態２によれば、表示制御部７２が色設定部２０１ｄによって設定された色に応じて操作情報生成部４４が生成した操作情報を３Ｄ画像上に重畳して表示部６０に表示させる。これにより、ユーザは、良好な操作情報を視認することができる。
【０１１６】
また、本発明の実施の形態２によれば、色検出部２０１が表示領域を色毎に複数の色領域に分割し、この複数の色領域のうち面積比と、この色領域の視認指数とに基づく値が一番大きい色を表示領域の色として検出するので、操作情報生成部４４はユーザが視認可能な操作情報を確実に生成することができる。
【０１１７】
（実施の形態３）
つぎに、本発明の実施の形態３について説明する。本実施の形態３は、上述した実施の形態１にかかる撮像装置と構成が異なるうえ、アナグリフ対応再生処理が異なる。このため、以下においては、本実施の形態３にかかる撮像装置の構成を説明後、本実施の形態３にかかる撮像装置が実行するアナグリフ対応再生処理について説明する。
【０１１８】
図２１は、本実施の形態３にかかる撮像装置の構成を模式的に示すブロック図である。図２１に示す撮像装置３は、撮像部１０と、外部Ｉ／Ｆ２０と、操作入力部３０と、記録部５０と、表示部６０と、制御部７０と、画像処理部３００と、を備える。
【０１１９】
画像処理部３００は、外部から画像データを取得し、取得した画像データに対して所定の画像処理を行って制御部７０へ出力する。画像処理部３００は、画像取得部４１と、３Ｄ画像生成部４２と、色検出部４３と、操作情報生成部４４と、主被写体特定部３０１と、色空間変更部３０２と、を有する。
【０１２０】
主被写体特定部３０１は、画像取得部４１が画像データ記録部５２から取得した画像ファイルデータに含まれる撮影情報に基づいて、画像データに対応する画像内における撮影時の主被写体を検出する。具体的には、主被写体特定部３０１は、Ｅｘｉｆ（Exchangeable  image  file  format）で記録された画像ファイルデータのメタデータ、たとえば撮像部１０の焦点距離を示す焦点距離情報やフォーカスエリア情報等に基づいて、画像内における撮影時の主被写体を検出する。
【０１２１】
色空間変更部３０２は、画像取得部４１が取得した２つの画像データに対応する２つの画像にそれぞれ含まれる背景に対して、主被写体特定部３０１が検出した主被写体を識別可能に２つの画像データの色空間の変数を変更する。具体的には、色空間変更部３０２は、色空間の変数として、輝度成分と色相成分を変更する。ここで、色空間変更部３０２の詳細な構成について説明する。色空間変更部３０２は、エッジ検出部３０２ａと、色相変換部３０２ｂと、Ｙ成分補正部３０２ｃと、を有する。
【０１２２】
エッジ検出部３０２ａは、主被写体特定部３０１が特定した主被写体に対してエッジ検出処理を実行して主被写体の輪郭を検出する。たとえば、エッジ検出部３０２ａは、画像データに対して２値化処理を行うことによって、主要被写体のエッジ（輪郭）を検出する。
【０１２３】
色相変換部３０２ｂは、３Ｄ画像データ（ＲＧＢデータ）をＹＣrＣbデータに変換する。なお、色相変換部３０２ｂによる詳細な変換方法は後述する。
【０１２４】
Ｙ成分補正部３０２ｃは、色相変換部３０２ｂが変換したＹ成分を補正する。具体的には、Ｙ成分補正部３０２ｃは、Ｙ成分に所定の係数を乗じることによって、輝度を上げる補正または下げる補正を行う。
【０１２５】
以上の構成を有する撮像装置３が実行するアナグリフ対応再生処理について説明する。図２２は、撮像装置３が実行するアナグリフ対応再生処理の概要を示すフローチャートである。
【０１２６】
図２２に示すように、画像取得部４１は、画像データ記録部５２から再生対象の画像ファイルデータを取得する（ステップＳ６０１）。
【０１２７】
続いて、３Ｄ画像生成部４２は、画像取得部４１が取得した画像ファイルデータに記録された２つの画像データを用いて、３Ｄ画像データを生成する（ステップＳ６０２）。
【０１２８】
その後、主被写体特定部３０１は、画像取得部４１が取得した画像ファイルデータのヘッド領域に含まれる焦点距離情報やフォーカスエリア情報等に基づいて、２つの画像データに対応する２つの画像内における主要被写体を特定する（ステップＳ６０３）。
【０１２９】
続いて、エッジ検出部３０２ａは、主被写体特定部３０１が特定した主被写体に対してエッジ検出処理を実行して主被写体の輪郭を検出する（ステップＳ６０４）。この際、エッジ検出部３０２ａは、主被写体に含まれるＹ成分（輝度成分）およびＲ成分（赤成分）およびシアン成分（青緑成分）に対してもエッジ検出処理を実行する。
【０１３０】
続いて、エッジ検出部３０２ａは、主被写体のＹ成分の輪郭、Ｒ成分の輪郭およびシアン成分の輪郭を比較して異なる点を数値化する（ステップＳ６０５）。
【０１３１】
その後、エッジ検出部３０２ａによって数値化された各成分の数値が閾値を超えている場合（ステップＳ６０６：Ｙｅｓ）において、３Ｄ画像データに対応する３Ｄ画像の全体の平均輝度が低いとき（ステップＳ６０７：Ｙｅｓ）、色相変換部３０２ｂは、３Ｄ画像データ（ＲＧＢデータ）をＹＣrＣbデータに変換する（ステップＳ６０８）。具体的には、色相変換部３０２ｂは、以下の式（１）〜（３）によって、３Ｄ画像データをＹＣrＣbデータに変換する。
Ｙ＝０．２９９＋０．５８７Ｇ＋０．１１４Ｂ      ・・・（１）
Ｃr＝０．５００Ｒ−０．４１９Ｇ−０．０８１Ｂ      ・・・（２）
Ｃb＝−０．１６９Ｒ−０．３３２Ｇ＋０．５００Ｂ      ・・・（３）
なお、Ｙは輝度成分の値を示し、Ｃr，Ｃbは、色差の値を示す。
【０１３２】
続いて、Ｙ成分補正部３０２ｃは、色相変換部３０２ｂが変換したＹ成分の輝度を上げる補正を行う（ステップＳ６０９）。たとえば、図２３に示すように、Ｙ成分補正部３０２ｃは、色相変換部３０２ｂが変換したＹ成分に１．５の係数を乗ずる補正を行う（図２３（ａ）→図２３（ｂ）→図２３（ｃ））。
【０１３３】
その後、色相変換部３０２ｂは、Ｙ成分補正部３０２ｃがＹ成分を補正したＹＣrＣbデータを３Ｄ画像データ（ＲＧＢデータ）に変換する（ステップＳ６１０）。具体的には、色相変換部３０２ｂは、以下の式（４）〜（６）によって、ＹＣrＣbデータを３Ｄ画像データに変換する（図２３（ｃ）→図２３（ｄ））。
Ｒ＝Ｙ＋１．４０２Ｃr      ・・・（４）
Ｇ＝Ｙ−０．７１４Ｃr−０．３４４Ｃb      ・・・（５）
Ｂ＝Ｙ＋１．７７２Ｃb      ・・・（６）
【０１３４】
ステップＳ６０６において、エッジ検出部３０２ａによって数値化された各成分の数値が閾値を超えている場合（ステップＳ６０６：Ｙｅｓ）において、３Ｄ画像データに対応する３Ｄ画像の全体の平均輝度が低くないとき（ステップＳ６０７：Ｎｏ）、色相変換部３０２ｂは、３Ｄ画像データ（ＲＧＢデータ）をＹＣrＣbデータに変換する（ステップＳ６１１）。
【０１３５】
続いて、Ｙ成分補正部３０２ｃは、色相変換部３０２ｂが変換したＹ成分の輝度を下げる補正を行う（ステップＳ６１２）。たとえば、図２４に示すように、Ｙ成分補正部３０２ｃは、色相変換部３０２ｂが変換したＹ成分を０．８の係数を乗ずる補正を行う（図２４（ａ）→図２４（ｂ）→図２４（ｃ）。ステップＳ６１２の後、撮像装置３は、ステップＳ６１０へ移行する。
【０１３６】
ステップＳ６１３において、表示制御部７２は、色相変換部３０２ｂが変換した３Ｄ画像データに対応する３Ｄ画像を表示部６０に表示させる。
【０１３７】
図２５は、表示制御部７２が通常のアナグリフ方式の３Ｄ画像を表示部６０に表示させた状態に対して、ユーザがアナグリフ眼鏡１００を介して視認した際に視認可能な画像を模式的に示す図である。図２６は、表示制御部７２が色空間変更部３０２によって色空間が変換された３Ｄ画像を表示部６０に表示させた状態に対して、ユーザがアナグリフ眼鏡１００を介して視認した際に視認可能な画像を模式的に示す図である。
【０１３８】
図２５に示すように、表示部６０が２Ｄ画像Ｗ８を表示している場合、緑の主被写体Ｐ１、青の背景Ｂ１および緑の背景Ｂ２それぞれを異なる色で明確に識別することができるにも関わらず（図２５（ａ））、表示部６０がアナグリフ方式の３Ｄ画像Ｗ８LRを表示したとき（図２５（ｂ））、アナグリフ眼鏡１００を装着したユーザは、左目では主被写体Ｐ１が背景Ｂ１，Ｂ２に溶け込んだ画像Ｗ８Lを視認する一方、右目では主被写体Ｐ１が背景Ｂ１、Ｂ２から分離した状態の画像Ｗ８Rを視認する（図２５（ｃ））。しかしながら、図２５（ｃ）に示すように、画像Ｗ８Lでは、主被写体Ｐ１が背景Ｂ１、Ｂ２に溶け込んでしまう。このため、ユーザは、正確な３Ｄ画像を視認することができない。
【０１３９】
これに対して、図２６に示すように、表示制御部７２は、色相変換部３０２ｂがＹ成分補正部３０２ｃによってＹ成分が補正されたＹＣrＣbデータを変換した３Ｄ画像データ（ＲＧＢデータ）に対応する３Ｄ画像を表示部６０に表示させる（図２６（ａ）→図２６（ｂ））。これにより、ユーザは、アナグリフ眼鏡１００を装着して３Ｄ画像Ｗ９LRを視認したとき、左目では画像Ｗ９Lを視認する一方、右目では画像Ｗ９Rを視認する（図２６（ｃ））。具体的には、図２６（ｃ）に示すように、画像Ｗ９Lでは、被写体Ｐ１が背景Ｂ１，Ｂ２から分離されている。これにより、ユーザは、極端な色の変化がない状態で良好な３Ｄ画像を視認することができる。ステップＳ６１３の後、撮像装置３は、後述するステップＳ６１４へ移行する。
【０１４０】
続いて、操作入力部３０から再生画像を変更する指示信号が入力された場合（ステップＳ６１４：Ｙｅｓ）、撮像装置３は、ステップＳ６０１へ戻る。これに対して、操作入力部３０から再生画像を変更する指示信号が入力されていない場合（ステップＳ６１４：Ｎｏ）、撮像装置３は、ステップＳ６１５へ移行する。
【０１４１】
その後、操作入力部３０から再生モードを終了する指示信号が入力された場合（ステップＳ６１５：Ｙｅｓ）、撮像装置３は、図２のメインルーチンへ戻る。これに対して、操作入力部３０から再生モードを終了する指示信号が入力されていない場合（ステップＳ６１５：Ｎｏ）、撮像装置３は、ステップＳ６１３へ戻る。
【０１４２】
以上説明した本発明の実施の形態３によれば、表示制御部が７２主要被写体を背景から分離させた状態の３Ｄ画像を表示部６０に表示させているので、正確な３Ｄ画像を視認することができる。
【０１４３】
なお、本実施の形態３では、輝度を上げる際にＹ成分に乗じる係数として１．５を用いたり、輝度を下げる際にＹ成分に乗じる係数として０．８を用いたりしたが、これらの係数はこの値に限るものではなく、必要に応じてより大きい値やより小さい値を用いてもよい。
【０１４４】
ここまで、本発明を実施するための形態を説明してきたが、本発明は上述した実施の形態によってのみ限定されるべきものではない。
【０１４５】
たとえば、本発明において、表示部とは別に電子ビューファインダを設け、この電子ビューファインダにおいて本発明を適用するようにしてもよい。この場合には、表示部と電子ビューファインダとで３Ｄアナグリフ画像の見え方が異なるようにすればより好ましい。
【０１４６】
また、本発明においては、撮像装置の本体部と撮像部とが別体に形成されていてもよい。
【０１４７】
また、本発明においては、撮像部を互いの光軸が平行または所定の角度をなすように同一平面上で並設され、被写体を同時に撮像し、この被写体からの光線を結像した被写体画像を受光して光電変換することによって視差を有する２つの画像データを生成する２眼式の撮像部であってもよい。
【０１４８】
また、本発明にかかる表示装置を搭載した撮像装置は、デジタル一眼レフカメラ以外にも、たとえばアクセサリ等を装着可能なデジタルカメラ、デジタルビデオカメラおよび撮像機能を有する携帯電話やタブレット型携帯機器等の電子機器にも適用することができる。
【０１４９】
また、本発明にかかる表示装置に実行させるプログラムは、インストール可能な形式又は実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１５０】
また、本発明にかかる表示装置に実行させるプログラムは、インターネット等のネットワークに接続されたコンピュータ上に格納し、ネットワーク経由でダウンロードさせることにより提供するように構成しても良い。さらに、本発明にかかる表示装置に実行させるプログラムをインターネット等のネットワーク経由で提供または配布するように構成しても良い。
【０１５１】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１５２】
このように、本発明は、ここでは記載していない様々な実施の形態を含みうるものであり、特許請求の範囲によって特定される技術的思想の範囲内で種々の設計変更等を行うことが可能である。
【符号の説明】
【０１５３】
１，２，３  撮像装置
１０  撮像部
２０  外部Ｉ／Ｆ
３０  操作入力部
３１  電源スイッチ
３２  レリーズスイッチ
３３  モード切替スイッチ
３４  設定スイッチ
３５  再生スイッチ
４０，２００，３００  画像処理部
４１  画像取得部
４２  ３Ｄ画像生成部
４３，２０１  色検出部
４４  操作情報生成部
５０，２１０  記録部
５１  プログラム記録部
５２  画像データ記録部
６０  表示部
７０  制御部
７１  撮影制御部
７２  表示制御部
１００  アナグリフ眼鏡
２０１ａ  モデリング部
２０１ｂ  背景色指数算出部
２０１ｃ  視認指数算出部
２０１ｄ  色設定部
２１１  視認指数記録部
３０１  主被写体特定部
３０２  色空間変更部
３０２ａ  エッジ検出部
３０２ｂ  色相変換部
３０２ｃ  Ｙ成分補正部
【図１】
2014160989.tif 000003
【図２】
2014160989.tif 000004
【図３】
2014160989.tif 000005
【図４】
2014160989.tif 000006
【図５】
2014160989.tif 000007
【図６】
2014160989.tif 000008
【図７】
2014160989.tif 000009
【図８】
2014160989.tif 000010
【図９】
2014160989.tif 000011
【図１０】
2014160989.tif 000012
【図１１】
2014160989.tif 000013
【図１２】
2014160989.tif 000014
【図１３】
2014160989.tif 000015
【図１４Ａ】
2014160989.tif 000016
【図１４Ｂ】
2014160989.tif 000017
【図１５】
2014160989.tif 000018
【図１６】
2014160989.tif 000019
【図１７】
2014160989.tif 000020
【図１８】
2014160989.tif 000021
【図１９】
2014160989.tif 000022
【図２０】
2014160989.tif 000023
【図２１】
2014160989.tif 000024
【図２２】
2014160989.tif 000025
【図２３】
2014160989.tif 000026
【図２４】
2014160989.tif 000027
【図２５】
2014160989.tif 000028
【図２６】
2014160989.tif 000029